(57)【要約】  カーブガイド（７、７’、７”、７”’、７””）を備え、該カーブガイドに沿って原動体（１１、１１’、１１”、１１”’、１１””）を移動させることができ、原動体には少なくとも１つの力蓄積器（８、８’）によって一方向に予め応力がかけられ、応力がかけられた力蓄積器により原動体をロック位置でカーブガイドに係止させることができ、少なくともロック位置で原動体に結合され得る作動器（５、５”、５”’、５””）を有し、作動器をカーブガイドに対して移動させることができあるいはカーブガイド（７’）を作動器（５’）に対して移動させることができ、ロック位置で、カーブガイドに対する作動器の相対的な動きによってあるいは作動器（５’）に対するカーブガイド（７’）の相対的な動きによって原動体を解放することができる、特に移動可能な家具部品のためのイジェクト機構に関する【選択図】  図１
2013500806.tif 000002
【特許請求の範囲】
【請求項１】
カーブガイド（７、７’、７”、７”’、７””）を有し、該カーブガイドに沿って原動体（１１、１１’、１１”、１１”’、１１””）が移動でき、前記原動体（１１、１１’、１１”、１１”’、１１””）には少なくとも１つの力蓄積器（８、８’）によって一方向に予めテンションがかけられ、テンションがかけられた前記力蓄積器（８、８’）により前記原動体（１１、１１’、１１”、１１”’、１１””）を閉位置で前記カーブガイド（７、７’、７”、７”’、７””）に係止させることができ、少なくとも閉位置で前記原動体（１１、１１’、１１”、１１”’、１１””）に結合され得る作動器（５、５”、５”’、５””）を有し、閉位置で、前記作動器（５、５”、５”’、５””）が前記カーブガイド（７、７’、７”、７”’、７””）に対して移動できあるいは前記カーブガイド（７’）が前記作動器（５’）に対して移動でき、前記カーブガイド（７、７’、７”、７”’、７””）に対する前記作動器（５、５”、５”’、５””）の相対的な動きによってあるいは前記作動器（５’）に対する前記カーブガイド（７’）の相対的な動きによって前記原動体（１１、１１’、１１”、１１”’、１１””）のロックを解除することができる、特に移動可能な家具部品のためのイジェクト機構において、
前記作動器（５、５’、５”、５”’、５””）および／または前記カーブガイド（７、７’、７”、７”’、７””）が、前記原動体（１１、１１’、１１”、１１”’、１１””）のロックを解除するために、第１の方向および反対の第２の方向の両方向に移動できることを特徴とする、イジェクト機構。
【請求項２】
前記原動体（１１、１１’、１１”、１１”’、１１””）が、前記作動器（５、５’、５”、５”’、５””）と前記カーブガイド（７、７’、７”、７”’、７””）との間の相対的な動きによって閉位置から回動できることを特徴とする、請求項１に記載のイジェクト機構。
【請求項３】
前記作動器（５、５’、５”、５”’、５””）が、前記第１の方向の移動によって前記原動体（１１、１１’、１１”、１１”’、１１””）のロックを解除するための第１の接触面（１６、１６’、１６”、１６”’、１６””）と、第１の接触面（１６、１６’、１６”、１６”’、１６””）から離間されかつ前記第２の方向の移動によって前記原動体（１１、１１’、１１”、１１”’、１１””）のロックを解除するための第２の接触面（１８、１８’、１８”、１８”’、１８””）とを有することを特徴とする、請求項１または２に記載のイジェクト機構。
【請求項４】
前記原動体（１１、１１’、１１”、１１”’、１１””）が、互いから離間される２つのピン（１０、１２）を有し、これらのピンが溝付きの前記カーブガイド（７、７’、７”、７”’、７””）に係合することを特徴とする、請求項１〜３のいずれか一項に記載のイジェクト機構。
【請求項５】
前記カーブガイド（７、７’、７”、７”’、７””）が、少なくとも１つの屈曲端部（７０、７０”’、７０”’、７１）を有し、閉位置で前記原動体（１１、１１’）が前記屈曲端部に係止され得ることを特徴とする、請求項１〜４のいずれか一項に記載のイジェクト機構。
【請求項６】
前記作動器（５、５”、５”’）が略Ｕ形状で前記原動体（１１、１１”、１１”’）を取り囲むことを特徴とする、請求項１〜５のいずれか一項に記載のイジェクト機構。
【請求項７】
前記原動体（５、５”’）がフックを有し、該フックには前記第１の接触面（１６’、１６”’）および前記第２の接触面（１８’、１８”’）が設けられることを特徴とする、請求項３に記載のイジェクト機構。
【請求項８】
前記作動器（５、５”、５”’、５””）および／または前記カーブガイドによって移動できる少なくとも１つのレバー（２５）が設けられ、該レバーによって前記原動体（１１、１１”、１１”’、１１””）のロックを解除できることを特徴とする、請求項１〜７のいずれか一項に記載のイジェクト機構。
【請求項９】
前記レバー（２５）は、該レバーがハウジング（６”、６”’、６””）上で回転できるように装着され、前記ハウジング（６”、６”’、６””）に前記カーブガイド（７”、７”’、７””）が設けられることを特徴とする、請求項８に記載のイジェクト機構。
【請求項１０】
家具本体に取り付け可能なガイドレールと、移動可能に装着されるスライドレール（３）とを有する、特に引出しのための引出しガイドにおいて、請求項１〜９のいずれか一項に記載のイジェクト機構を備えることを特徴とする、引出しガイド。
【請求項１１】
前記作動器（５、５’）が、該作動器を前記スライドレール（３）の移動方向で調整できるように前記スライドレール（３）に固定されることを特徴とする、請求項１０に記載の引出しガイド。
【請求項１２】
前記カーブガイド（７、７”、７”’）が、前記ガイドレール（２）に固定されることを特徴とする、請求項１０または１１に記載の引出しガイド。
【請求項１３】
前記スライドレール（３）を前記作動器（５、５’、５””）と共に閉位置に制限するために弾性ストッパ（３１、３１’、３１””）が設けられることを特徴とする、請求項１０〜１２のいずれか一項に記載の引出しガイド。
【請求項１４】
前記スライドレール（３）を閉位置に達する前に制動するためにダンパが設けられることを特徴とする、請求項１０〜１３のいずれか一項に記載の引出しガイド。
【請求項１５】
前記作動器（５、５’、５”）が、該作動器が前記スライドレール（３）上で回動できおよび／または移動できるように装着されるとともに、前記原動体（１１、１１’、１１”）に係止され得ることを特徴とする、請求項１０〜１４のいずれか一項に記載の引出しガイド。
【請求項１６】
移動可能な家具部品（５０）を介して互いに接続される請求項１〜９のいずれか一項に記載の第１のイジェクト機構および第２のイジェクト機構を有するイジェクトシステム。
【請求項１７】
前記第１のイジェクト機構の前記原動体（１１、１１’、１１”、１１”’、１１””）のロック解除時に、前記第２のイジェクト機構の前記原動体（１１、１１’、１１”、１１”’、１１””）が係止された閉位置からロック解除されることを特徴とする、請求項１６に記載のイジェクトシステム。
【請求項１８】
カーブガイド（７、７’、７”、７”’、７””）を有し、該カーブガイドに沿って原動体（１１、１１’、１１”、１１”’、１１””）が移動でき、前記原動体（１１、１１’、１１”、１１”’、１１””）には少なくとも１つの力蓄積器（８、８’）によって一方向に予めテンションがかけられ、テンションがかけられた前記力蓄積器（８、８’）により前記原動体（１１、１１’、１１”、１１”’、１１””）を閉位置で前記カーブガイド（７、７’、７”、７”’、７””）に係止させることができ、少なくとも閉位置で前記原動体（１１、１１’、１１”、１１”’、１１””）に結合され得る作動器（５、５’、５”、５”’、５””）を有し、前記作動器（５、５’、５”、５”’、５””）から離間してラチェット（４１、８１）が配置される、特に移動可能な家具部品のためのイジェクト機構において、
前記ラチェット（４１、８１）が開方向で前記原動体（１１、１１’、１１”、１１”’、１１””）を通過でき、前記原動体（１１、１１’、１１”、１１”’、１１””）を閉方向に移動させるために、前記ラチェット（４１、８１）を反対の閉方向で前記原動体（１１、１１’、１１”、１１”’、１１””）に結合できることを特徴とする、イジェクト機構。
【請求項１９】
前記ラチェット（４１、８１）は、該ラチェットが移動できあるいは回動できるように装着されるとともに、開動作中に前記原動体（１１、１１’、１１”、１１”’、１１””）の背後に係止され得ることを特徴とする、請求項１８に記載のイジェクト機構。
【請求項２０】
前記作動器（５、５’、５”、５”’、５””）が、開動作中に前記ラチェット（４１、８１）の背後に係止され得る移動可能なあるいは回動可能な部品（９２）を備えることを特徴とする、請求項１８に記載のイジェクト機構。
【請求項２１】
前記ラチェット（４１、８１）を自動引き戻し器（４４）に結合でき、該自動引き戻し器によって前記作動器（５、５’、５”、５”’、５””）が閉位置へ移動できることを特徴とする、請求項１８〜２０のいずれか一項に記載のイジェクト機構。
【請求項２２】
前記ラチェット（４１、８１）が閉位置で前記原動体（１１、１１’、１１”、１１”’、１１””）を端部位置まで移動させ、この端部位置で前記原動体（１１、１１’、１１”、１１”’、１１””）が回動され、したがって、前記原動体（１１、１１’、１１”、１１”’、１１””）が前記ラチェット（４１、８１）から切り離されることを特徴とする、請求項１８〜２１のいずれか一項に記載のイジェクト機構。
【発明の詳細な説明】
【技術分野】
【０００１】
本発明は、特に移動可能な家具部品のためのイジェクト機構に関し、この機構は、カーブガイドを有し、該カーブガイドに沿って原動体が移動でき、原動体には少なくとも１つの力蓄積器によって一方向に予めテンションがかけられ、テンションがかけられた力蓄積器により原動体を閉位置でカーブガイドに係止させることができ、少なくとも閉位置で原動体に結合され得る作動器（ａｃｔｉｖａｔｏｒ）を有し、閉位置で、作動器がカーブガイドに対して移動できあるいはカーブガイドが作動器に対して移動でき、カーブガイドに対する作動器の相対的な動きによってあるいは作動器に対するカーブガイドの相対的な動きによって原動体のロックを解除することができる。また、本発明は、引出しガイドおよびイジェクトシステムにも係る。
【背景技術】
【０００２】
欧州特許第１８４５８２１号明細書は、引出しを開閉するための装置であって、引出しがラッチ機構を介して閉位置に保持される装置を開示している。ラッチ機構は、スライドレールに結合され得る原動体を備え、原動体にはロッドが配置され、該ロッドが制御カーブ内で案内される。ロックを解除するため、ばねの力に抗して引出しが押し込まれ、それにより、ロッドが制御カーブ内でラッチ位置から解放され、ロッドを原動体およびスライドレールと共に移動させることができる。そのような開閉用の装置では、引出しを押し込まなければラッチ機構のロック解除が行なわれないのが不都合である。また、限られた機械的負荷しか吸収できない複数の構成要素によってラッチが行なわれる。これは、それらの構成要素がフィリグリーとして設けられ、破損が予期され得るからである。
【発明の概要】
【発明が解決しようとする課題】
【０００３】
したがって、本発明の目的は、安定して設けられ、原動体の簡単なロック解除を可能にするイジェクト機構および引出しガイドを提供することである。
【課題を解決するための手段】
【０００４】
この目的は、請求項１の特徴を有するイジェクト機構によって達成される。
【０００５】
本発明によれば、閉位置で、カーブガイドに対する作動器の相対的な動きによって原動体のロックを解除でき、原動体のロックを解除するために、作動器および／またはカーブガイドが第１の方向および反対の第２の方向の両方向に移動できる。したがって、移動可能な家具部品の引き動作および移動可能な家具部品の押込みの両方によってロック解除を行なうことができる。そのため、ユーザは、イジェクト機構がロック解除される方法を選択できる。移動可能な家具部品が引出しガイドに固定される場合には、カーブガイドまたは作動器のいずれかを移動させることができ、一方、他の構成要素は固定配置される。カーブガイドと作動器との間の相対的な動きにより、ロック解除が対応する技術手段によって引き起こされる。また、イジェクト機構の取扱いが簡単であり、対応する構成要素が安定して設けられるとともに、構成要素の数が従来技術による解決策と比べて減少される。
【０００６】
一実施形態によれば、原動体は、作動器とカーブガイドとの間の相対的な動きによって閉位置から回動できる。したがって、原動体が両方向で移動できるガイド装置としてカーブガイドを設けることができる。捕捉溝を有するループ状のガイド経路を設ける必要はない。これは、ガイド経路の屈曲端部で係止を行なうことができるからである。原動体を回動させることにより、原動体を曲がった端部からロック解除して直線部へ移動させることができ、直線部では、力蓄積器が開動作を確保する。
【０００７】
作動器は、第１の方向の移動によって原動体のロックを解除するための第１の接触面と、第１の接触面から離間されかつ第２の方向の移動によって原動体のロックを解除するための第２の接触面とを有することが好ましい。したがって、作動器を一部品で設けることもでき、動作方向とは無関係に原動体のロック解除を閉位置から行なうことができる。
【０００８】
原動体の安定したガイドのため、原動体が互いから離間される２つのピンを有し、これらのピンが溝付きのカーブガイドに係合する。カーブガイドが少なくとも１つの屈曲端部を有することができ、閉位置で原動体が屈曲端部に係止され得る。
【０００９】
作動器は略Ｕ形状で原動体を取り囲むことができ、それにより、原動体のロックを解除する接触面をＵの２つの脚部のそれぞれに形成することができる。あるいは、原動体をフックとして設けることができ、作動器は、原動体のロックを解除するための接触面をフックの両側に有する。
【００１０】
作動器および／またはカーブガイドによって移動できる少なくとも１つのレバーが設けられ、該レバーによって原動体のロックを解除できることが好ましい。したがって、確実なロック解除を確保できる。レバーはそれが例えばカーブガイドを有するハウジング上で回転できるように装着される。原動体をレバーによってロック解除するため、原動体を遊びをもって作動器に結合することができ、あるいは、作動器も移動可能に装着され、特に、開始位置で動きを確保するために、作動器が弾力的におよび／または回転可能に装着される。
【００１１】
本発明によれば、家具本体に取り付け可能なガイドレールと移動可能に装着されるスライドレールとを有する引出しガイドであって、本発明に係るイジェクト機構を有する引出しガイドも提供される。
【００１２】
イジェクト機構を有する引出しガイドの取付けを更に容易にするため、作動器は、それをスライドレールの移動方向で調整できるようにスライドレールに固定され得る。したがって、公差を補償して、作動器の位置を所望の閉位置に正確に適合させることができる。引出しガイドを事前に組み込まれるユニットとして設けることができ、カーブガイドがガイドレールに固定される。
【００１３】
一実施形態によれば、スライドレールを作動器と共に閉位置に保持するために弾性ストッパが設けられる。この場合、ストッパは作動器を閉位置で位置決めするようにし、それにより、閉位置を越えて移動する際にロック解除が意図せずに起こらない。また、スライドレールを閉位置に達する前に制動するためにダンパを設けることができる。この弾性ストッパを引出し方向で調整可能に設けることができる。
【００１４】
本発明に係るイジェクト機構および対応する引出しガイドを、家庭用電気製品において、例えばオーブン、冷蔵庫、および／または、冷凍庫において、あるいは、加温引出しにおいて使用することも考えられる。
【００１５】
本発明によれば、移動可能な家具部品を介して互いに接続される第１および第２のイジェクト機構を有するイジェクトシステムも提供される。それぞれのイジェクトシステムを引出しガイドに装着することができ、引出しガイドは、スラスト要素、例えば引出しを介して互いに接続される。
【００１６】
イジェクト機構は、第１のイジェクト機構の原動体のロック解除時に第２のイジェクト機構の原動体も係止された閉位置からロック解除されるようになっていることが好ましい。これにより、特に幅広い引出しの場合に必要とされる同期化が確保される。これは、引出しを開放するための力が中心から外れてもたらされる際に、１つの引出し側の１つのイジェクト機構だけがロック解除される場合があるからである。そのような片側ロック解除がイジェクトシステムで起こる場合には、ロック解除された原動体と力蓄積器とによって力が開方向で加えられ、この力は、家具部品と第２の引出しガイドとを介して第２の原動体に作用して、第２の原動体をロック解除位置から開方向に引き出す。したがって、不正確な作動を確実に回避できる。
【００１７】
本発明によれば、請求項１８にしたがってラチェットが作動器から離間して配置され、ラチェットが開方向で原動体を通過でき、また、原動体を閉方向に移動させるために、ラチェットを反対の閉方向で原動体に結合できる。したがって、閉位置前にラチェットによりイジェクト機構に予めテンションをかけることができ、それにより、原動体にテンションをかけた後に作動器を閉位置へ引き戻す自動引き戻し器の使用も可能になる。
【００１８】
イジェクト装置の原動体を乗り越えて移動するため、作動器および／またはラチェットを例えば開方向に対して垂直に移動可能となるようにあるいは回動点を介して回動できるように設けることができる。あるいは、原動体がばね装着されたレバーを有することができ、このレバーは、作動器が原動体を乗り越えて一方向に移動できるようにするとともに、それぞれの反対方向で作動器と接触してそれを乗り越える移動を防止する。
【００１９】
原動体の作動器の降伏は、並進動作、回転動作、湾曲案内動作、回動により、および／または、接触領域の選択された材料に起因する弾性挙動によって考えられる。作動器またはラチェットまたは原動体の全体が交互に降伏し、あるいは、個々の構成要素の部分的な降伏も想定し得る。可動部品の戻り動作のための反力は、ばね力によって、特に部分的な構成要素の弾性変形によって加えることができる。前述した効果は、指向性バリア、スイッチロック、または、ばねスイッチ機構にしたがった構造によって達成することもできる。
【００２０】
作動器またはラチェットを例えば楕円穴内で直線的に案内することができる。この実施形態では、作動器またはラチェットを重力によってあるいはばね荷重の方法で開始位置にリセットできる。あるいは、作動器またはラチェットが可動部品を備えることができる。これらのラチェットまたは可動部品は、カーブガイドによって、重力の作用によって、あるいは、弾性材料またはばね力の使用によって、制御された仕方で開始位置にリセットすることができる。
【００２１】
原動体は、反対方向に作用する２つのばね荷重戻り止めまたはレバーを有することが好ましく、これらはいずれも力の導入を可能にするとともに小さな力で乗り越えることができる。これらの戻り止めは、例えば下側に配置される要素の弾性変形によって得られる復元トルクを有する。この要素は２つの部分を有し、１つの戻り止めが各部分に割り当てられる。ロッカまたはリーフばねとしての実施形態も考えられる。戻り止めは、小さな力により一方向で乗り越えて移動できる。この機能は、特に複合的に作用する１つの作動器または複数の作動器あるいはラチェットが様々な装置を制御するために使用される場合に必要とされる。戻り止めをフィルムヒンジのような弾性体として設けることができ、あるいは、戻り止めにベアリングを設けることができる。
【００２２】
不正確なトリガを回避するため、トリガ用のレバーにその基本位置で圧力によりばね荷重を与えることができる。したがって、所定のトリガ力をばね機構の意図で設定できる。この力を越えるときだけ、原動体がカーブガイドの屈曲端部におけるその待機位置から完全に移動される。したがって、イジェクト機構が作動される。
【００２３】
湾曲制御されたシステムでは、開端位置への到達を作動器の更なる力蓄積器によって支援できる。したがって、特に典型的な実施形態から逸脱する取付け位置の場合には、アセンブリの故障または破損が防止される。
【００２４】
以下、添付図面を参照して、本発明を２つの典型的な実施形態に基づいて更に詳しく説明する。
【図面の簡単な説明】
【００２５】
【図１】イジェクト機構を有する引出しガイドの斜視図を示している。
【図２】部分的に断面を成す図１の引出しガイドの図を示している。
【図３】部分的に断面を成す図１の引出しガイドの図を示している。
【図４】部分的に断面を成す図１の引出しガイドの図を示している。
【図５】部分的に断面を成す図１の引出しガイドの図を示している。
【図６】部分的に断面を成す図１の引出しガイドの図を示している。
【図７】イジェクト機構の作動器の斜視図を示している。
【図８Ａ】開位置にある図１の引出しガイドの図を示している。
【図８Ｂ】開位置にある図１の引出しガイドの図を示している。
【図９Ａ】開位置にある図１の引出しガイドの図を示している。
【図９Ｂ】開位置にある図１の引出しガイドの図を示している。
【図１０】イジェクト機構を有する本発明に係る引出しガイドの第２の典型的な実施形態の斜視図を示している。
【図１１】閉位置にある図１０の引出しガイドの図である。
【図１２】閉位置にある図１０の引出しガイドの図である。
【図１３】閉位置にある図１０の引出しガイドの図である。
【図１４】ＡおよびＢは開位置にある図１０の引出しガイドの図を示している。
【図１５】ＡおよびＢは開位置にある引出しガイドの図を示している。
【図１６】本発明に係るイジェクトシステムの典型的な実施形態の斜視図を示している。
【図１７】閉位置にある図１６のイジェクトシステムの図を示している。
【図１８】一方側がロック解除された図１６のイジェクトシステムの図を示している。
【図１９】一方側がロック解除された図１６のイジェクトシステムの図を示している。
【図２０】両側がロック解除された図１６のイジェクトシステムの図を示している。
【図２１】本発明に係る引出しガイドの更なる典型的な実施形態の側面図を示している。
【図２２】異なる位置にある図２１の引出しガイドの図を示している。
【図２３】異なる位置にある図２１の引出しガイドの図を示している。
【図２４】異なる位置にある図２１の引出しガイドの図を示している。
【図２５】異なる位置にある図２１の引出しガイドの図を示している。
【図２６】本発明に係る引出しガイドの更なる典型的な実施形態の斜視図を示している。
【図２７】異なる位置にある図２６の引出しガイドの図を示している。
【図２８】異なる位置にある図２６の引出しガイドの図を示している。
【図２９】異なる位置にある図２６の引出しガイドの図を示している。
【図３０】異なる位置にある図２６の引出しガイドの図を示している。
【図３１】異なる位置にある図２６の引出しガイドの図を示している。
【図３２】異なる位置にある図２６の引出しガイドの図を示している。
【図３３】引出しガイドのための本発明に係るイジェクト機構の更なる典型的な実施形態の斜視図を示している。
【図３４】異なる位置にある図３３のイジェクト機構の図を示している。
【図３５】異なる位置にある図３３のイジェクト機構の図を示している。
【図３６】異なる位置にある図３３のイジェクト機構の図を示している。
【図３７】取付け位置にある本発明に係るイジェクト装置の斜視図を示している。
【図３８】異なる位置にある図３７のイジェクト装置の図を示している。
【図３９】異なる位置にある図３７のイジェクト装置の図を示している。
【図４０】異なる位置にある図３７のイジェクト装置の図を示している。
【図４１】異なる位置にある図３７のイジェクト装置の図を示している。
【図４２】異なる位置にある図３７のイジェクト装置の図を示している。
【図４３】異なる位置にある図３７のイジェクト装置の図を示している。
【図４４】異なる位置にある図３７のイジェクト装置の図を示している。
【図４５】異なる位置にある図３７のイジェクト装置の図を示している。
【図４６】異なる位置にある図３７のイジェクト装置の図を示している。
【図４７】異なる位置にある図３７のイジェクト装置の図を示している。
【図４８】異なる位置にある図３７のイジェクト装置の図を示している。
【発明を実施するための形態】
【００２６】
本発明に係るイジェクト機構は、家具本体に取り付け可能なガイドレール２と移動可能なスライドレール３とを有する引出しガイド１に取り付けられる。十分な引出しを可能にするために、ガイドレールとスライドレールとの間に引出し延長中間レールが随意的に配置される。また、回動可能な家具ドアまたは他の移動可能な家具部品にイジェクト機構を取り付けることもできる。
【００２７】
イジェクト機構は作動器５を備え、該作動器は、スライドレール３に固定されるとともに、閉位置においてカーブガイド７を有するハウジング６に配置される。原動体１１がカーブガイド７内で案内され、該原動体は、引張ばねとして設けられる力蓄積器８によって開方向に予めテンションがかけられる。力蓄積器８は、一端がガイドレール２に固定されるホルダ９に保持され、反対側が原動体１１に保持される。
【００２８】
閉位置では、スライドレール３に配置されるウェブ３０が、例えばゴムクッションとして設けられる弾性ストッパ３１を押圧する。ストッパ３１は、ガイドレール２または中間レール１３に配置されるマウント３２に固定される。マウント３２は引出し方向に調整可能に設けることができる。
【００２９】
図２〜図６に示されるように、互いから離間される２つピン１０、１２が原動体１１に設けられ、これらのピンはカーブガイド７内で案内される。カーブガイド７は、開方向にある曲がった端部７０と閉方向にある曲がった端部７１とを備える中間直線部分を有する。原動体１１は、端部７０、７１の領域でスライドレール３から離れるように回動される。原動体１１はレセプタクル１４を有し、該レセプタクル１４内に作動器５の２つのウェブ１６、１７が係合する。ウェブ１６、１７がレセプタクル１４内に係合すると、作動器５および原動体１１が一緒に移動する。
【００３０】
作動器５が図７に詳しく示されている。作動器５は、略Ｕ形状として設けられて、一方の脚部に３つのウェブ１５、１６、１７を備えており、ウェブ１６、１７が原動体１１のレセプタクル１４内に係合する。原動体１１と接触することもできる内側に向けられた突起１８が作動器５の第２の脚部に設けられる。また、楕円穴１９が作動器５に設けられ、この楕円穴には、作動器５をスライドレール３に固定するためにねじ２０が通される。作動器５は、それが楕円穴１９によってスライドレール３の長手方向で調整できるように保持される。
【００３１】
図８Ａおよび図８Ｂには、スライドレール３が開位置で示されている。作動器５が原動体１１から離間されて配置され、原動体１１が力蓄積器８の力によって端部位置へ移動され、この端部位置でピン１０が端部７０内に係合する。したがって、原動体１１は、レセプタクル１４が作動器のウェブ１６、１７の係合のために開放する斜めの位置にある。
【００３２】
作動器５がスライドレール３上に配置される引出しを閉じることにより閉じられる場合、作動器５のウェブ１６、１７は、図９Ａおよび図９Ｂに示されるように、原動体１１のレセプタクル１４と係合して、原動体を力蓄積器８の力に抗して閉位置へ移動させる。閉位置において、ピン１２は、ガイド経路７に沿って移動されてしまっており、端部７１に係合する。したがって、原動体１１は、下向きに回動されてしまっており、このときに力蓄積器８の力によって閉位置で固定される。図９Ｂに示されるように、作動器５の下側突起１８が原動体１１の接触面２１を押圧する。また、図６によれば、ウェブ１６が原動体１１の接触面２２に隣接して配置される。
【００３３】
閉位置では、作動器５の動きによって原動体１１のロックを解除することができ、作動器５は開方向または閉方向に交互に移動することができる。作動器５が開方向に引かれる場合には、ウェブ１６が接触面２２に係合して原動体１１をカーブガイド７の直線部分へ引き込み、それにより、原動体１１のロックが解除される。作動器５が閉方向に押される場合、突起１８は、接触面２１を押圧し、それにより原動体１１をカーブガイド７の直線部分へ回動させる。したがって、原動体１１の閉位置からのロック解除は、作動器５が開方向または閉方向に移動されるかどうかとは無関係に起こる。原動体１１のロックを解除するための閉方向の動きは１〜３ｍｍの範囲となることができ、そのため、弾性ストッパ３１が押込みによって圧縮される。
【００３４】
本発明に係るイジェクト機構を有する引出しガイド１’の第２の典型的な実施形態が図１０に示されている。第１の典型的な実施形態の場合と同様に、スライドレール３はそれがガイドレール２上で移動できるように保持され、スライドレール３の閉位置が弾性ストッパ３１によって予め規定され、スライドレール３のウェブ３０が弾性ストッパ３１を押圧する。
【００３５】
イジェクト機構はハウジング６’を備えており、ハウジング６’には１つの曲がった端部７０のみを有するカーブガイド７’が設けられる。原動体１１’が２つの離間するピン１０、１２によってカーブガイド７’内に保持される。ピン１２が曲がった端部７０へ移動される場合（図１２）、原動体１１’は、係止位置にあり、引張りばねとして設けられる力蓄積器８’の力によって開位置へ予めテンションがかけられる。
【００３６】
ねじ２０’を介してガイドレール２に固定される作動器５’が原動体１１’のロックを解除するために設けられる。作動器５’は、原動体１１’のフック２２’の内側を押圧する第１の突起１６’を備える。作動器５’の接触斜面１８’と係合され得る接触面２１’がフック２２’の反対側に設けられる。
【００３７】
図１３では、スライドレール３を閉方向に押すことにより原動体１１’のロックが解除され、このとき、カーブガイド７’と作動器５’との間で相対的な動きが生じる。力が突起１６’によって原動体１１’の下方に向けられたフック２２’へ伝えられ、それにより、ピン１２が上方へ押し上げられてカーブガイド７’の直線部へ移動される。したがって、力蓄積器８’が作用して原動体１１’を開方向に引張る。
【００３８】
原動体１１’のロック解除は、スライドレール３上でカーブガイド７’を開方向に移動させることによっても引き起こすことができ、このとき、作動器５’の接触斜面１８’が原動体１１’のフック２２’の接触面２１’と係合される。したがって、この場合も同様にピン１２がカーブガイド７’の直線部へ上方へ押し込まれる。
【００３９】
図１５Ａおよび図１５Ｂには、引出しガイドが開位置で示されており、作動器５’が原動体１１’から離間して配置される。原動体１１’はカーブガイド７’の端部位置に配置される。スライドレール３が閉方向に移動される場合には、下方に向けられるフック２２’が作動器５’の突起１６’と接触斜面１８’との間に係合し、それにより、閉位置に達する際に図１２に示される配置が達成され、この配置から再び原動体１１’のロックを解除することができる。
【００４０】
移動可能な家具部品として引出し５０に取り付けられるイジェクトシステムが図１６に示されている。引出し５０は、いずれの場合にもホルダ５２を介して両側が引出しガイド１に保持される床５１を備える。ホルダ５２はスライドレール３に取り付けられ、スライドレール３はそれがガイドレール２上で移動できるように保持される。引出しガイド１はいずれの場合にも引出し５０のサイドフレーム５３に配置される。
【００４１】
図１〜図９に詳しく示されるようにイジェクト機構が各引出しガイド１に取り付けられ、以下、同じ参照符号が同一の構成要素のために使用される。
【００４２】
図１および図１６のイジェクトシステムが図１７〜図２０に示されており、上側の図は左側の引出しガイドおよびイジェクト機構を示しており、一方、下側の図は引出し５０の右側の引出しガイドおよびイジェクト機構を示している。
【００４３】
図１７では、引出し５０が閉位置で示されており、この閉位置では、両方のイジェクト機構が係止された閉位置に配置される。ピン１０、１２を介してカーブガイド７内で案内される作動器５は、一方のピンが曲がった端部７１内に入った状態で配置されており、したがって、ばね８のプレテンションにもかかわらず係止位置にある。
【００４４】
図１８では、イジェクトシステムにおいて、右側の原動体１１（下側の図）のロックが解除されてしまっており、対応するピンが曲がった端部７１から出て移動されてしまっている。ロック解除は、引出しを押し引きすることにより交互に行なうことができる。これは、前述したように作動器５が移動方向とは無関係に原動体１１のロック解除を確保するからである。左側（上側の図）では、原動体１１が依然としてロック位置にあり、このロック位置ではピン１２がカーブガイド７の曲がった端部７１内に保持される。
【００４５】
図１８の逆のケースが図１９に示されており、このケースでは、左側（上側の図）がロック解除され、原動体１１がばね８を介して開方向に移動される。原動体１１は作動器５を介してスライドレール３に結合される。一方、引出し５０の右側（下側の図）では、原動体１１が依然としてロック位置にあり、原動体１１はピンを使用してカーブガイド７の曲がった端部７１に保持される。
【００４６】
イジェクト機構が引出しのイジェクトシステムの右側または左側でロック解除された場合、強制的なロック解除が反対側で起こる。この目的のため、ロック解除された原動体１１がばね８の力を介して開方向に移動されるとともに、この力が作動器５およびスライドレール３を介して引出し５０へ伝えられるという状況が利用される。したがって、反対側のイジェクト機構にも、引出し５０、スライドレール３、および、作動器５を介して力が加えられ、この力は原動体１１をロック位置から引き出すのに十分である。この目的のため、作動器５の中間ウェブ１６がレセプタクル１４に係合して原動体１１をカーブガイド７の直線部へ引き戻す。このように、一方側のロック解除だけが引き起こされた場合であっても、同期化が自動的に達成される。
【００４７】
図２０において、図１６のイジェクトシステムは、原動体１１が両側でロック解除されて示されている。両方の原動体１１は、カーブガイド７の直線部内で移動され、この場合、ばね８の力に起因して開方向に移動される。原動体１１は作動器５に結合され、作動器５は２つのウェブ１６、１７を使用してレセプタクル１４に係合する。
【００４８】
引出しガイド１”が図２１に示されており、この引出しガイドにおいて、スライドレール３はそれがガイドレール２上で移動できるように装着され、この場合も先の典型的な実施形態の場合と同一の構成要素には同一の参照符号が与えられる。
【００４９】
原動体１１”のレセプタクルに係合する回転可能に装着された作動器５”がスライドレール３に設けられる。原動体１１”は、それがハウジング６”の２つのカーブガイド７、４５上で移動できるように装着される。原動体１１”のピン１０がカーブガイド４５内で案内されるが、ピン１２はカーブガイド７”内で案内される。閉時には、カーブガイド４５の直線端部がピン１０を介して原動体１１”のための回動点を形成する。原動体１１”は、カーブガイド７”内で案内されるピン１２により湾曲した端部７１に達する際に回動される。開時には、カーブガイド７”の直線端部がピン１２を介して原動体１１”のための回動点を形成する。原動体１１”は、カーブガイド４５内で案内されるピン１０により湾曲した端部７０に達する際に回動される。原動体１１”のそれぞれの回動は作動器５”または作動器４１の解放をもたらす。また、作動器５”、４１の回動可能な装着により、これらの作動器は、カーブガイド７”、４５の湾曲した端部７０、７１内の原動体１１”の端部位置で原動体１１”を乗り越えて移動できる。あるいは、例えば、作動器を垂直に移動できるように設けることもできる。引出しの閉位置が図２１に示されており、この閉位置では、原動体１１”がカーブガイド７”の曲がった端部７１に固定されてばね８の力によって開方向に予めテンションがかけられる。
【００５０】
力蓄積器８を締結するためのホルダ４６がガイドレール２に設けられる。力蓄積器８が固定具４７を介してホルダ４６に固定される。引張ばねとして形成される力蓄積器８の他端は、スプリングアイを使用してボルト４８により原動体１１”に固定される。ばね力を変えるため、ホルダ４６の固定具４７が移動可能にかつ固定可能に形成される。
【００５１】
原動体１１”のロックを解除するため、引出しを引くことができ、それにより、図２２Ａおよび図２２Ｂに示されるように、スライドレール３に結合される作動器５”が原動体１１”を曲がった端部７１から引き出す。その後、原動体１１”がばね８の力によって開方向に移動される。また、第２の作動器４１がスライドレール３に接続され、この第２の作動器は、第２のカーブガイド４３内で案内される第２の原動体４２と係合される。カーブガイド４３および原動体４２は、引出しをその閉位置に設定する閉じられた状態に保持する自動引き戻し器４４に接続される。自動引き戻し器４４は、閉動作を制動して衝撃ノイズを回避するためにダンパ４９も備える。また、過度な圧力または閉行為直後のトリガが制動によって回避される。
【００５２】
図２３Ａおよび図２３Ｂにおいて、原動体１１”は、引出しを押し込むことによるロック解除により生じる位置で示されている。作動器５”は、前ストッパ面１８”が設けられる下方に突出するウェブ４０を備える。このストッパ面１８”はレバー２５に隣接して配置されており、レバー２５は、それがハウジング６”上で軸線２６周りに回転できるように装着される。レバー２５に対して開始位置へ向けてばねにより予めテンションをかけることができ、あるいは、レバー２５を重力によって開始位置へ移動させることができる。引出しが家具本体内に押し込まれる場合には、ウェブ４０が図２３Ｂの右へ移動してレバー２５を回動させる。したがって、レバー２５の上側ストッパ縁部２７が、原動体１１”の下側に抗して移動し、該原動体をカーブガイド７”の曲がった端部７１から上方へ押し出す。原動体１１”が原動体１１”のレセプタクル１４”内の下側突起１６”によって固定されないように、作動器５”も、それが回動できるように、したがってストッパへ至るまでレバー２５および原動体１１”によって時計回りに容易に回動され得るように装着される。その後、原動体１１”は、ばね８の力によるロック解除後に作動器５”を開方向に引く。
【００５３】
図２４Ａおよび図２４Ｂは、第２の作動器４１が停止された原動体１１”を乗り越えて移動するときの位置を示している。作動器４１は、ウェブの形態を成して設けられており、それがスライドレール３上で回動できるように装着される。したがって、原動体１１”の取込み斜面５６を介して作動器４１を上方へ回動させて開方向に移動させることができる。
【００５４】
スライドレール３が閉方向に移動される場合、第２の作動器４１は、最初に原動体１１”のレセプタクル１４”に係合して、原動体１１”を停止位置から引き出し、それにより、ばね８にテンションをかける。原動体１１”は、カーブガイド４５内の第１のピン１０およびカーブガイド７”の第２のピン１２を介して案内される。カーブガイド７”、４５はそれぞれ、カーブガイド７”、４５の端部で原動体１１”を回動させるために、曲がった端部７１または７０をそれぞれ備える。また、２つの曲がった端部７０、７１を有する単一のカーブガイドのみを設けることもできる。
【００５５】
閉動作中、原動体１１”がカーブガイド７”の曲がった端部７１上の第２の作動器４１によって停止され、原動体１１”の回動によって作動器４１が原動体１１”から離脱するとともに、引出しを閉方向へ更に移動させることができる。
【００５６】
作動器５”を原動体１１”と係合させるため、図２５Ａおよび図２５Ｂによれば、作動器５”が原動体１１”の取込み斜面５５に達し、したがって回動されるまで、引出しが閉方向へ更に移動される。その後、作動器５”が原動体１１”のレセプタクル１４”に係合するまで作動器５”を取込み斜面５５に沿って移動させることができる。このとき、自動引き戻し器の第２の原動体４２が同時に第２の作動器４１を閉位置へ引き戻し、それにより、もはや閉動作の直前に閉動作を手でサポートする必要がなくなる。また、自動引き戻し器は、移動可能な家具部品または引出し５０を閉状態に保持するためにも使用される。閉状態の保持により、例えば衝撃あるいは引出しガイドを有するイジェクト装置と移動可能な家具部品とが取り付けられる家具の僅かな傾きに起因する意図しない開放が防止される。
【００５７】
無論、図２１〜図２５に示される典型的な実施形態では、ロック解除操作により一方側で一方の原動体１１”だけしかロック位置から解除されなかった場合であっても、本発明に係るイジェクトシステムにしたがったロック解除を可能にする２つの引出しガイドを設けることもできる。このとき、ロック解除された原動体１１”のばね８の力は、第２の引出しガイドの他方の原動体１１”のロック解除を確保する。
【００５８】
図２６は、ガイドレール２とスライドレール３とを備える本発明に係る引出しガイド１”’の更なる典型的な実施形態を示しており、同一の参照符号が同一の構成要素のために使用される。原動体１１”’と係合され得る作動器５”’がスライドレール３に接続される。原動体１１”’は、ハウジング６”’のカーブガイド７”’に沿って案内されて、ばね８により開方向に予めテンションがかけられる。ばね８は、原動体１１”’から離れた方を向く端部が、ボルト１８０によって保持ウェブ１８１および調整ブラケット１８２に固定され、保持ウェブ１８１には開口が設けられるとともに、保持ウェブ１８２には凹部が設けられ、この凹部内にボルト１８０を挿入できる。したがって、ばね８の張力を設定できる。
【００５９】
第１のレバー９１が原動体１１”’のレセプタクル上で回動できるように装着されるとともに、第２のレバー９２が原動体１１”’の反対側で回動できるように装着される。
【００６０】
図２７では引出しガイド１”’が僅かに開位置で示されており、レバー９２上の第２の作動器４１が原動体１１”’を押圧し、それにより、原動体１１”’が停止位置からカーブガイド７”’の斜面７０”’に沿って引き出される。
【００６１】
このとき、原動体１１”’は、原動体１１”’が曲がった端部７１に達して下方へ回動されるまでカーブガイド７”’に沿って第２の作動器４１により移動される。したがって、作動器４１が解放され、スライドレール３を原動体１１”’に結合することなく更に閉方向に移動させることができる。
【００６２】
図２９では、作動器５”’が原動体１１”’に達するときに係止位置に達する。その後、作動器５”’は、回動可能なレバー９１を乗り越えて移動し、したがってレバー９１、９２間で移動する。その後、第２の作動器４１が、カーブガイド４３に沿って移動できる原動体４２と係合し、閉位置に達するまで自動引き戻し器４４により閉方向に移動される。
【００６３】
引出しガイドの閉位置が図３０Ａおよび図３０Ｂに示されている。作動器５”’が原動体１１”’と係合され、また、閉方向および開方向の両方でのスライドレール３の動きによって作動器５”’のロックを解除できる。
【００６４】
原動体１１”’上の作動器５”’の位置が図３０Ｂに拡大して示されている。作動器５”’がレバー９１の背後に係止され、レバー９１はばねにより下方へ押圧される。このとき、作動器５”’は、引出しに対する牽引動作によって原動体１１”’を開方向に再び移動させるためにレバー９１および原動体１１”’と係合することができる。
【００６５】
あるいは、図３１Ａおよび図３１Ｂによれば、引出しを押し込むことにより引出し１１”’のロックを解除することができる。その後、作動器５”’の下方に向けられたウェブ４０が軸線２６周りに回転可能に装着されたレバー２５と係合してこれを押圧し、それにより、レバー２５が原動体１１”’を上方に押し上げ、したがって、ロック解除が引き起こされる。ここで、開操作中、第２の作動器４１がレバー９２を乗り越えて移動し、そのとき、レバー９２は、回動されて、ばねの力によって再び元の開始動作へ回動される。レバー９１との接触は、カーブガイド７”’の斜面７０”’によって回避される。
【００６６】
突起１６”’およびストッパ面１８”’が図３１Ｂに示されており、これらにより、屈曲端部７１からの原動体１１”’のロック解除が行なわれる。ロック解除後、原動体１１”’が力蓄積器８によりカーブガイド７”’に沿って移動される。係合される作動器５”’は、それに結合される移動可能な家具部品を、取り付けられたスライドレール３を介して開方向に移動させる。
【００６７】
引出しガイド１””のための本発明に係るイジェクト機構の更なる典型的な実施形態が図３２に示されている。図３２には、改良されたハウジング６””を備えるイジェクト機構が示されており、該ハウジング６””には、一端に斜面７０”’を有しかつ反対側の端部に曲がった端部７１を有する第１のカーブガイド７””が設けられる。また、溝付きの凹部６４が第２のカーブガイドとして形成され、この第２のカーブガイドは斜め下向きに開方向で延びる。第３のカーブガイド６５が水平方向に設けられる。また、軸線２６が係合する凹部６６がレバー２５を装着するために設けられる。レバー２５により、いずれもカーブガイド７””内で案内される第１のピン１０および第２のピン１２を有する原動体１１””のロックを解除できる。原動体１１””には、引張ばねとして設けられる力蓄積器８によって開方向に予めテンションがかけられる。ハウジング６””は２部品を成して設けられ、それにより、カーブガイド７””、６４、６５を有する対応するハウジング部品が原動体１１””の両側に設けられる。
【００６８】
スライドレールまたは引出しの床には、作動器５””のストッパ９０に対して閉方向で押し付けられ得るホルダ８９が設けられる。作動器５””は、ハウジング６０””の２つのハウジング部品間で案内されるとともに、ラチェット８１が内部にばね装着される第１の垂直レセプタクル８３と、第２のラチェット８０が内部にばね装着される第２の垂直凹部８４とを備えるとともに、ロックピン８７のための第３の垂直レセプタクル８５も備える。ラチェット８０、８１は、原動体１１””に作用するべくばねにより下方へ予めテンションがかけられる。ロックピン８７は、それが作動器５””内で垂直方向に移動できるように装着される。
【００６９】
図３３Ａおよび図３３Ｂでは、ガイドレール２と移動可能なスライドレール３とを有する引出しガイドにイジェクト機構が示されている。イジェクト機構は、原動体１１””がカーブガイド７””の曲がった端部７１でロックされる閉位置に配置されている。作動器５””は、マウント３２””内に受け入れられる弾性ストッパ３１””と接触する。弾性ストッパは、過度な圧力、または、閉じる操作中または該操作直後のイジェクト装置の直接的な更なるトリガを防止する。図３３Ｂに示されるように、引出しは、ホルダ８９を引いた後にロックピン８７に作用することにより開くことができ、これにより、作動器５””が開方向に移動され、その結果、ラチェット８０がその突起１６””を介して原動体１１””をロック位置から引き出す。また、開放は、引出しが閉方向に移動され、その結果、対向するラチェット８１のストッパ面１８””がレバー２５に作用し、それにより、レバー２５が軸線２６周りに回動して原動体１１””を曲がった端部７１から引き上げるという点において達成できる。このとき、原動体１１””は、力蓄積器８の力に起因して、２つのピン１０、１２によりカーブガイド７””内を傾斜部７０””までスライドする。
【００７０】
図３４Ａおよび図３４Ｂでは、原動体１１””が傾斜部７０””に達している。原動体１１””は傾斜部７０””でのピン１０の案内によって下方へ回動され、それにより、ラチェット８０が原動体１１””から離脱する。このとき、ラチェット８０を原動体１１””を越えて移動させることができ、また、第２のラチェット８１が取込み斜面８２を有し、第２のラチェット８１を原動体１１””との接触によりばねの力に抗して上方へ押し上げて開方向に移動させることができる。ロックピン８７が開方向の動きによって下方へ移動され、ロックピン８７は作動器５””の対応する凹部内でガイドピン８８により案内される。
【００７１】
図３５Ａおよび図３５Ｂでは、スライドレール３が更に開方向に移動されてしまっており、突起９０が依然としてブロック８９を押圧している。ロックピン８７は、斜め下方に延びるガイド６４に沿って下方へ移動されており、ここでブロック８９を解放している。したがって、スライドレール３を更に開方向に移動させることができ、また、そのとき、スライドレール３が作動器５””から外される。
【００７２】
図３５Ａは、引張ばねとして設けられる力蓄積器８をハウジング６””に固定するためのレセプタクル９３を示している。ハウジング６””の両方のハウジング部品に正反対に配置されるレセプタクル９３では、力蓄積器８を固定するためのボルト９４が一端で挿入される。ボルト９４は、それを様々な位置でハウジング６””のレセプタクル９３内に挿入して引張ばねとして設けられる力蓄積器８の力を変えることができるようになっている。力蓄積器８の他端は、ボルト９５を介して原動体１１””に固定される。
【００７３】
閉動作では、ブロック８９が突起９０を押圧するまでスライドレールが閉方向に移動され、それにより、図３６Ａおよび図３６Ｂに示される位置に達するまで作動器５””が若干閉方向に移動される。この位置では、ブロック８９が突起９０とロックピン８７との間で再びロックされ、ラチェット８１が原動体１１””の突起を押圧する。したがって、このとき、原動体１１””は、ピン１２を有する該原動体１１””が曲がった端部７１で下方に回動されることによりロックされるまで、カーブガイド７””に沿って閉方向に移動される。図３３Ａおよび図３３Ｂに示される位置に達してしまっている。
【００７４】
取付け位置におけるイジェクト機構の更なる典型的な実施形態が図３７に示されている。
【００７５】
スラスト要素１０１が引出しとして設けられ、該スラスト要素をそれが家具本体内で移動できるように取り付けることができる。引出しガイドのガイドレール１０２がこの目的のために設けられ、ガイドレール１０２上には少なくとも１つのスライドレールが移動可能に装着される。スライドレールは引出しの中空のサイドフレーム１０３内に配置され、また、引出しの床１０５が複数のホルダ１０６を介してスライドレールに固定される。スラスト要素１０１の移動方向Ｘが図中に矢印によって示される。
【００７６】
ハウジング１０７が床１０５の底面に取り付けられ、該ハウジングは本質的に２つのプレート形状のハウジング部品から成り、該ハウジング部品にはスロット付きのカーブガイド１０８、１０９、１１０が凹陥状に設けられる。家具本体または動かないガイドレール１０２に固定されるウェブ形状の作動器１１６がハウジング１０７内に突出する。より良い理解のために、作動器１１６は一部だけ示されている。
【００７７】
スラスト要素１０１は引戻し装置１０４によって閉位置に保持され、そのような引戻し装置１０４は、自動引き戻し器として知られており、コンパクトな構造で引出しガイドに隣接して取り付けることができる。
【００７８】
本発明に係るイジェクト装置が図３８に閉位置で示されている。引戻し装置１０４は、曲がった端部１４２を有するカーブガイド１４１を有する引戻しハウジング１４０を備える。ウェブ形状の引戻し作動器１４４に結合される引戻し原動体１４３が引戻しカーブガイド１４１内で移動できるように装着される。ダンパ１４５が引戻しハウジング１４０に結合され、また、引戻し原動体１４３に閉方向で予めテンションをかけるためのばねが引戻しハウジング１４０内に配置される。したがって、移動可能なスラスト要素１０１またはスライドレール上に配置される引戻し作動器１４４には閉方向で予めテンションがかけられる。また、引戻し装置１０４は、閉動作に達する前に閉動作を制動するためにダンパを有することもできる。
【００７９】
また、ウェブ形状の作動器１１６を図３８で認識でき、この作動器１１６の端部は原動スライド１１３のレセプタクル内に固定される。原動スライド１１３は、作動器１１６から離れた方を向く側に、ばね装着されて原動スライド１１３内に押し込むことができる第１の可動ラチェット１１４および第２の可動ラチェット１１５を備える。閉位置では、第２のラチェット１１５が、第１のカーブガイド１１８内でピンを介して移動できるように装着される原動体１１１と係合される。原動体１１１には、引張ばね１１２の形態を成す力蓄積器によって開方向に予めテンションがかけられる。原動体１１１から離れた方を向くばね１１２の端部をハウジング１０７に固定することができる。原動体１１１をばね１１２の力に抗してカーブガイド１０８の曲がった端部１７１に係止させることができる。原動体１１１をそこで回動させることができる曲がった端部１７０がカーブガイド１０８の反対側の端部にも設けられる。
【００８０】
原動体１１１が係止位置にあるため、力が原動スライド１１３を介してハウジング１０７に開方向で作用しない。引戻し装置１０４はスラスト要素１０１を閉位置に保持する。
【００８１】
図３９には、原動体１１１のロック解除中のイジェクト装置が示されている。この目的のため、スラスト要素１０１が家具本体内に押し込まれ、それにより、第１のラチェット１１４が回動可能なイジェクタレバー１３０を押圧する。エジェクタレバー１３０は、それがハウジング１０７の軸線１３１周りで移動できるように装着される。イジェクタレバー１３０の一方の脚部１３２がラチェット１１４を押圧し、一方、反対側の脚部１３３が原動体１１１を押圧する。スラスト要素１０１を押し込むことにより、イジェクタレバー１３０が軸線１３１を中心に時計回りに回転され、それにより、脚部１３３が原動体１１１をカーブガイド１０８の曲がった端部１７１から移動させる。したがって、原動体１１１は、ロックが解除され、そのときにばね１１２の力によってカーブガイド１０８に沿って引かれる。原動体１１１がチップ１５０により原動スライド１１３のストッパ１５１を押圧し、それにより、原動スライド１１３が原動体１１１と共に移動される。したがって、一体的に設けられる壁１１７が動かない作動器１１６を押圧し、それにより、ハウジング１０７がスラスト要素１０１と共に開方向に移動される。
【００８２】
図４０には、イジェクト装置が僅かに開位置で示されている。原動体１１１は、第１のカーブガイド１０８の中間領域に配置されており、依然としてばね１１２により力が加えられている。したがって、原動スライド１１３も右へ移動され、原動スライド１１３は第２のカーブガイド１１０に沿って移動できる。カーブガイド１１０は直線として設けられ、したがって、原動スライド１１３がガイド手段を介してハウジング１０７に沿って直線的に移動する。また、第３のカーブガイド１０９内でピン１１９を介して移動できる可動ストッパ１１８が原動スライド１１３に設けられる。第３のカーブガイド１０９は第２のカーブガイド１１０に対して傾いて配置されており、そのため、ストッパ１１８は、原動スライド１１３が図４０の右へ移動する際に下方へ移動される。ストッパ１１８は、それが楕円穴１２０内で原動スライド１１３の移動方向に対して垂直に移動できるように保持される。
【００８３】
図４０に示される位置では、引戻し装置１０４が引戻し作動器１４４から切り離される。これは、原動体１４３が引戻しカーブガイド１４１に沿って曲がった端部１４２まで移動され、そこで停止されて回動されてしまっているからである。したがって、引戻し作動器１４４が解放され、この際に引戻し作動器１４４を引戻し原動体１４３とは無関係に更に開方向に移動させることができる。
【００８４】
図４１には、原動体１１１が曲がった端部位置１７０に達して回動された位置でイジェクト装置が示されている。回動された位置では、ラチェット１１５および原動スライド１１３が原動体１１１とは無関係に右へ更に移動でき、それにより、ハウジング１０７がスラスト要素１０１と共に開方向に移動される。このとき、スラスト要素１０１はもはやばね１１１の力によって加速されない。
【００８５】
可動ストッパ１１８は、カーブガイド１０９に沿って更に移動されて更に下がり、作動器１１６は、依然として可動ストッパ１１８と壁１１７との間でレセプタクル内に保持される
図４２には、ウェブ形状の作動器１１６が解放される十分下方に可動ストッパ１１８が移動された位置でイジェクト装置が示されている。ここでは、ハウジング１０７を、原動スライド１１３と共に、すなわち、固定配置される作動器１１６とは無関係に、開方向に更に移動させることができる。更なる開放動作中、第１のラチェット１１４は、原動体１１１上にわたってスライドして、ばねの力に抗して簡単に上方へ押し上げられるとともに、原動体１１１の背後に再び係止する。この目的のために、対応する取込み斜面１２４がラチェット１１４に設けられる。
【００８６】
スラスト要素１０１が閉方向に再び移動されるときの位置が図４３に示されている。ラチェット１１４は、最初に原動体１１１と係合し、該原動体を曲がった端部１７０での停止位置から引き出す。原動体１１１は、ばね１１２の力に抗してカーブガイド１０８に沿って移動される。原動スライド１１３は壁１１７が作動器１１６に支持され、それにより、原動スライド１１３がカーブガイド１１０に沿って移動される。
【００８７】
閉位置に達する前のイジェクト装置の位置が図４４に示されている。原動スライド１１３がカーブガイド１１０に沿って十分遠くに移動されるため、可動ストッパ１１８が再び作動器１１６の後部に配置され、その際、作動器がストッパ１１８と壁１１７との間に保持される。第１のラチェット１１４がカーブガイド１０８に沿って十分遠くに移動されてしまっているため、ばね１１２にかなりのテンションがかけられる。図示の位置では、引戻し作動器１４４が引戻し原動体１４３に係合し、それにより、引戻し作動器のロックが解除されて、引戻し装置１０４が作動される。
【００８８】
図４５には、閉位置に達する前であって、原動体１１１が曲がった端部１７１に達してばね１１２の力に抗して係止された際のイジェクト装置が示されている。したがって、原動体１１１が回動し、第１のラチェット１１４を原動体１１１を乗り越えて移動させることができる。このとき、原動スライド１１３が第２のカーブガイド１１０に沿って更に移動されるとともに、引戻し装置１０４がスラスト要素１０１を閉方向に引き、それにより、ユーザにより更に力を加えることなく、ばね１１２にテンションをかけて原動体１１１を係止した後に、原動スライド１１３を移動させることができる。したがって、スラスト要素１０１が自動的に引っ込む。
【００８９】
図４６には、閉位置に達する直前のイジェクト装置が示されている。この場合、第２のラチェット１１５は取込み斜面を使用して原動体１１１を乗り越えてスライドする。原動スライド１１３は、引戻し装置１０４により、依然として閉方向に移動される。
【００９０】
第２のラチェット１１５が原動体１１１のチップ１５１の背後に係止される閉位置が図４７に示されている。ラチェット１１５も原動スライド１１３にばね装着される。可動ストッパ１１８は、カーブガイド１０９に沿う楕円穴１２０内での移動によって再び延ばされており、したがって、作動器１１６が可動ストッパ１１８と壁１１７との間に取り込まれる。ばねクッション１２２は、閉操作の後にイジェクト装置が再び意図せずに開操作を開始しないようにする。また、スクリーン隙間がばねクッション１２２を介して形成され、それにより、イジェクト装置を閉方向で圧力によりトリガすることができる。
【００９１】
ロック解除中、スラスト要素１０１が家具本体内に引き込まれ、それにより、原動体１１１のロック解除がイジェクタレバー１３０を介して行なわれる。しかしながら、スラスト要素を引くことによって原動体１１１のロックを解除することもできる。これは、その際、原動体１１１が、曲がった端部１７１から引き出されて、イジェクタレバー１３０の移動を伴うことなく図２８に示される位置をとることができるからである。原動体１１１は、再びカーブガイド１０８の中間部に配置されてロックが解除される。その他の点では、イジェクト操作および以降の閉塞が前述したように行なわれる。
【００９２】
本発明に係るイジェクト装置は、直線的に移動可能な家具部品の全て、例えばスライドドアと共に使用できる。
【参照符号のリスト】
【００９３】
１  引出しガイド
１’  引出しガイド
１”  引出しガイド
１”’  引出しガイド
１””  引出しガイド
２  ガイドレール
３  スライドレール
５  作動器
５’  作動器
５”  作動器
５”’  作動器
５””  作動器
６  ハウジング
６’  ハウジング
６”  ハウジング
６”’  ハウジング
６””  ハウジング
７  カーブガイド
７’  カーブガイド
７”  カーブガイド
７”’  カーブガイド
７””  カーブガイド
８  力蓄積器
８’  力蓄積器
９  マウント
１０  ピン
１１  原動体
１１’  原動体
１１”  原動体
１１”’  原動体
１１””  原動体
１２  ピン
１３  中間レール
１４  レセプタクル
１４”  レセプタクル
１６  ウェブ
１６’  突起
１６”  突起
１６”’  突起
１６””  突起
１７  ウェブ
１８  突起
１８’  取込み斜面
１８”  ストッパ面
１８”’  ストッパ面
１８””  ストッパ面
１９  楕円穴
２０  ねじ
２０’  ねじ
２１  接触面
２１’  接触面
２２  接触面
２２’  フック
２５  レバー
２６  軸線
２７  ストッパ縁部
３０  ウェブ
３１  ストッパ
３１””  ストッパ
３２  マウント
３２””  マウント
４０  ウェブ
４１  作動器
４２  原動体
４３  カーブガイド
４４  自動引き戻し器
４５  カーブガイド
４６  マウント
４７  固定具
４８  ボルト
４９  ダンパ
５０  引出し
５１  床
５２  ホルダ
５３  サイドフレーム
５５  取込み斜面
５６  取込み斜面
６０  ハウジング
６４  ガイド／凹部
６５  カーブガイド
６６  凹部
７０  端部
７０”’  斜面
７０””  斜面
７１  端部
８０  ラチェット
８１  ラチェット
８２  取込み斜面
８３  レセプタクル
８４  凹部
８５  レセプタクル
８７  ロックピン
８８  ガイドピン
８９  ブロック／ホルダ
９０  突起／ストッパ
９１  レバー
９２  レバー
９３  レセプタクル
９４  ボルト
９５  ボルト
１０１  スラスト要素
１０２  ガイドレール
１０３  サイドフレーム
１０４  引戻し装置
１０５  床
１０６  ホルダ
１０７  ハウジング
１０８  カーブガイド
１０９  カーブガイド
１１０  カーブガイド
１１１  原動体
１１２  引張ばね
１１３  原動スライド
１１４  ラチェット
１１５  ラチェット
１１６  作動器
１１７  壁
１１８  ストッパ
１１９  ピン
１２０  楕円穴
１２２  ばねクッション
１２４  取込み斜面
１３０  エイジェジェクタレバー
１３１  軸線
１３２  脚部
１３３  脚部
１４０  引戻しハウジング
１４１  カーブガイド
１４２  端部
１４３  引戻し原動体
１４４  引戻し作動器
１４５  ダンパ
１５０  チップ
１５１  ストッパ
１７０  端部
１７１  端部
１８０  ボルト
１８１  保持ウェブ
１８２  調整ブラケット
【図１】
2013500806.tif 000003
【図２】
2013500806.tif 000004
【図３】
2013500806.tif 000005
【図４】
2013500806.tif 000006
【図５】
2013500806.tif 000007
【図６】
2013500806.tif 000008
【図７】
2013500806.tif 000009
【図８Ａ】
2013500806.tif 000010
【図８Ｂ】
2013500806.tif 000011
【図９Ａ】
2013500806.tif 000012
【図９Ｂ】
2013500806.tif 000013
【図１０】
2013500806.tif 000014
【図１１】
2013500806.tif 000015
【図１２】
2013500806.tif 000016
【図１３】
2013500806.tif 000017
【図１４Ａ】
2013500806.tif 000018
【図１４Ｂ】
2013500806.tif 000019
【図１５Ａ】
2013500806.tif 000020
【図１５Ｂ】
2013500806.tif 000021
【図１６】
2013500806.tif 000022
【図１７】
2013500806.tif 000023
【図１８】
2013500806.tif 000024
【図１９】
2013500806.tif 000025
【図２０】
2013500806.tif 000026
【図２１】
2013500806.tif 000027
【図２２Ａ】
2013500806.tif 000028
【図２２Ｂ】
2013500806.tif 000029
【図２３Ａ】
2013500806.tif 000030
【図２３Ｂ】
2013500806.tif 000031
【図２４Ａ】
2013500806.tif 000032
【図２４Ｂ】
2013500806.tif 000033
【図２５Ａ】
2013500806.tif 000034
【図２５Ｂ】
2013500806.tif 000035
【図２６】
2013500806.tif 000036
【図２７】
2013500806.tif 000037
【図２８】
2013500806.tif 000038
【図２９】
2013500806.tif 000039
【図３０Ａ】
2013500806.tif 000040
【図３０Ｂ】
2013500806.tif 000041
【図３１Ａ】
2013500806.tif 000042
【図３１Ｂ】
2013500806.tif 000043
【図３２】
2013500806.tif 000044
【図３３Ａ】
2013500806.tif 000045
【図３３Ｂ】
2013500806.tif 000046
【図３４Ａ】
2013500806.tif 000047
【図３４Ｂ】
2013500806.tif 000048
【図３５Ａ】
2013500806.tif 000049
【図３５Ｂ】
2013500806.tif 000050
【図３６Ａ】
2013500806.tif 000051
【図３６Ｂ】
2013500806.tif 000052
【図３７】
2013500806.tif 000053
【図３８】
2013500806.tif 000054
【図３９】
2013500806.tif 000055
【図４０】
2013500806.tif 000056
【図４１】
2013500806.tif 000057
【図４２】
2013500806.tif 000058
【図４３】
2013500806.tif 000059
【図４４】
2013500806.tif 000060
【図４５】
2013500806.tif 000061
【図４６】
2013500806.tif 000062
【図４７】
2013500806.tif 000063
【図４８】
2013500806.tif 000064
【国際調査報告】
2013500806.tif 000065
2013500806.tif 000066
2013500806.tif 000067
2013500806.tif 000068
2013500806.tif 000069
2013500806.tif 000070
2013500806.tif 000071
2013500806.tif 000072
2013500806.tif 000073
2013500806.tif 000074